(57)【要約】【課題】組立が簡単なグロメットと、種々の支柱に適応可能なフロアマットからなり、グロメットを一体化したフロアマットを提供する。【解決手段】本発明のフロアマットは、少なくとも１つの直立支柱をもつフロアを有する車両用のフロアマットであって、フロアマットは、コアー、上面、およびその反対側にある下面、およびフロアマットと一体に形成され、上面と下面との間にあるグロメットを有して構成され、グロメットが、第１の上縁と第２の下縁のあるグロメット本体と、グロメット本体によって画定された支柱係合貫通開口と、第１の上縁と第２の下縁との間でグロメット本体から径方向外向きに延びるフランジと、を有している。【選択図】図２
2019059465.tif 000002
【特許請求の範囲】
【請求項１】
少なくとも１つの直立支柱をもつフロアを有する車両用のフロアマットであって、前記フロアマットは、
コアー、上面、およびその反対側にある下面、および
前記フロアマットと一体に形成され、前記上面と前記下面との間にあるグロメットを有して構成され、
前記グロメットが、
第１の上縁と第２の下縁のあるグロメット本体と、
前記グロメット本体によって画定された支柱係合貫通開口と、
前記第１の上縁と前記第２の下縁との間で前記グロメット本体から径方向外向きに延びるフランジと、
を有していることを特徴とするフロアマット。
【請求項２】
さらに、前記コアーの材料を受け入れて、前記コアー内の前記グロメットの固定を強化するように組立、配置された少なくとも１つのスロットを有していることを特徴とする請求項１に記載のフロアマット。
【請求項３】
前記フランジは、スロットが、前記フランジの同心円上に並んでいることを特徴とする請求項１に記載のフロアマット。
【請求項４】
前記スロットは、細長い楕円形状で設けられることを特徴とする請求項２に記載のフロアマット。
【請求項５】
前記フランジは、前記グロメット本体の半径と等しい半径を有することを特徴とする請求項１に記載の車両用フロアマット。
【請求項６】
前記フロアマットは、熱可塑性材料で作られ、前記グロメットは、前記フロアマットの前記熱可塑性材料よりも高融点を有するプラスチック材料で作られることを特徴とする請求項１に記載のフロアマット。
【請求項７】
前記フロアマットは、熱可塑性エラストマー（ＴＰＥ）で作られることを特徴とする請求項６に記載のフロアマット。
【請求項８】
前記フロアマットが、熱硬化性または熱可塑性材料で作られることを特徴とする請求項６に記載のフロアマット。
【請求項９】
前記フロアマットは、前記フランジに係合する垂直オフセット部を有することを特徴とする請求項１に記載のフロアマット。
【請求項１０】
前記直立支柱の上縁は、前記垂直オフセット部の上縁と同じ高さであることを特徴とする請求項９に記載のフロアマット。
【請求項１１】
前記フランジは、前記グロメット本体から、前記第１の上縁と前記第２の下縁の間の中間に延びていることを特徴とする請求項１に記載のフロアマット。
【請求項１２】
前記グロメット本体の内面には、少なくとも１つの弾性部材が設けられ、前記直立支柱に取り外し可能にロック係合することを特徴とする請求項１に記載のフロアマット。
【請求項１３】
前記グロメット本体の内面には、細長い楕円形状の開口を画定する水平に向いたリブが設けられていることを特徴とする請求項１に記載のフロアマット。
【請求項１４】
少なくとも１つの直立支柱をもつフロアを有する車両用のフロアマットであって、前記フロアマットは、
コアー、上面、およびその反対側にある下面、および
前記フロアマットと一体に形成され、前記上面と前記下面との間にあるグロメットを有して構成され、
前記グロメットが、
第１の上縁と第２の下縁のあるグロメット本体と、
前記グロメット本体によって画定された支柱係合貫通開口と、
前記第１の上縁と前記第２の下縁との間の中間から前記グロメット本体から径方向外向きに延びるフランジを有して、
前記フランジが、前記コアーの材料を受け入れて前記コアー内の前記グロメットの固定を強化するように組立、配置された複数のスロットを有していることを特徴とするフロアマット。
【請求項１５】
前記スロットは、前記フランジ上で同心円上に並んでいることを特徴とする請求項１４に記載のフロアマット。
【請求項１６】
前記スロットは、細長い楕円形状で設けられることを特徴とする請求項１４に記載のフロアマット。
【請求項１７】
少なくとも１つの直立支柱をもつフロアを有する車両用のフロアマットであって、前記フロアマットは、
コアー、上面、およびその反対側にある下面、および
前記フロアマットと一体に形成され、前記上面と前記下面との間にあるグロメットを有してなっていて、
前記グロメットが、
第１の上縁と第２の下縁のあるグロメット本体と、
前記グロメット本体によって画定された支柱係合貫通開口と、
前記第１の上縁と前記第２の下縁との間で前記グロメット本体から径方向外向きに延びるフランジを有して、
前記フロアマットが、前記フランジに係合する垂直オフセット部を有し、前記直立支柱の上縁が、前記垂直オフセット部の上縁と同じ高さであることを特徴とするフロアマット。
【発明の詳細な説明】
【技術分野】
【０００１】
本発明は、フロアマットに係り、より詳細には、乗用車の未仕上げ床面又はカーペットの保護のために使用され、グロメットを備えるフロアマットに関する。
【背景技術】
【０００２】
乗用車のフロアに装備されたカーペットを磨耗や埃から保護するため、また、カーペットが施されていないフロアの車両に容易に取り外しできる保護面とするため、一般的にフロアマットが使用される。フロアマットが車両の運転を邪魔しないように、そしてフロアマットを取り外し可能に所定位置に留めるため、種々の固定化技術が採用された。
【０００３】
従来のフロアマット固定化方法の１つは、最初に装備されるカーペットが設置される前または後のいずれかに、車両フロアに直立支柱を取り付けることである。この支柱は、拡がったヘッドと狭くなったネックを有する不規則な形状としたり、あるいは別の形状とされ、グロメットを取り外し可能かつロックするように係合する。グロメットは、典型的には複数の部材からなり、フロアの支柱に適合したフロアマットの開口周囲で、マット本体をグロメット部品の間に挟むことにより、組み立てる。
【０００４】
グロメットは、支柱と噛み合わせおよび取り外し可能に係合する開口があり、ある場合には、弾性または変形可能な部分を有して支柱とグロメットの間の係合を取り外し可能にロックし、フロアマットを車両の所定位置に確実に保持する。他の場合には、グロメットの開口が、垂直に延びる支柱に取り外し可能に係合できる不規則な形状をしている。
【０００５】
多くの場合、グロメットは、支柱アセンブリを含めて５〜６個の部品が必要となり、フロアマット上で組み立てるのが比較的複雑で、製造するのにコストがかかる。また、多くの自動車メーカーが、市販しているグロメットの構造を指定しているので、グロメットメーカーは、顧客と自動車メーカーのそれぞれに対応するため、複数の組立形状を作っている。グロメットメーカーとマットメーカーが、別々の場合、それぞれの製品デザインを、自動車メーカーのガイドラインを満たすように調整する必要がある。
【先行技術文献】
【特許文献】
【０００６】
【特許文献１】特開２０１０−１９５１７９号公報
【発明の概要】
【発明が解決しようとする課題】
【０００７】
本発明の目的は、組立が簡単なグロメットと、種々の支柱に適応可能なフロアマットの必要性を満たし、グロメットを一体化したフロアマットを提供することにある。
【課題を解決するための手段】
【０００８】
課題に記載した必要性は、一体化グロメットを備えた本発明のフロアマットによって満たされ、またはそれを上回っている。好ましくは熱可塑性エラストマー（ＴＰＥ）または他の既知の熱可塑性材料などの射出成形に適した熱可塑性材料であるフロアマット材料のインサート成形を容易にし、フロアマット材料との結合を促進するために、本発明のグロメットは、支柱係合貫通開口を備えたグロメット本体と、その本体から径方向に延びたフランジを有している。
【０００９】
グロメットは、インサート成形プロセスに耐えることができるように、周囲のフロアマットの融点よりも高い融点のプラスチック材料で作られる。さらに、グロメットは、フロアマット材料と化学的に適合したプラスチックで作られ、成形プロセス中に一緒に結合する。
【００１０】
好ましい実施形態では、フランジは、本体の上縁と下縁との間に配置される。さらに、フランジには、少なくとも１つ、好ましくは複数のスロットが設けられ、フロアマットが形成され冷却されるときにグロメットのＴＰＥへの同化を促進させている。好ましい実施形態では、このフランジは、グロメット本体の半径と凡そ等しい半径を有する。
【００１１】
本発明のフロアマットの別の形態は、フロアマットのフランジに係合する領域が、フロアマットのベースから垂直方向にオフセットされ、すなわち一段高くなっている。したがって、車両フロアにある支柱と係合すると、支柱の上縁は、一段高くなった領域の上縁とほぼ同じ高さである。
【００１２】
より具体的には、一体化グロメットを有するフロアマットは、少なくとも１つの直立支柱をもつフロアを有する車両に提供される。このフロアマットは、コアー、上面、およびその反対側にある下面を有し、グロメットは、フロアマットと一体に形成され、上面と下面との間にある。グロメットは、第１の上縁と、第２の下縁のあるグロメット本体と、この本体によって画定された支柱係合貫通開口を有している。フランジは、上縁と下縁との間で本体から径方向外向きに延びて、フロアマットのコアーに係合する。
【００１３】
別の実施形態では、フロアマットは、少なくとも１つの直立支柱をもつフロアを有する車両に提供される。フロアマットは、コアー、上面、およびその反対側にある下面を有し、グロメットは、フロアマットと一体に形成され、上面と下面との間にある。グロメットは、第１の上縁と第２の下縁があるグロメット本体と、この本体によって画定された支柱係合貫通開口と、上縁と下縁との間で本体から径方向外向きに延びて、コアーの材料を受け入れてコアー内のグロメットの固定を強化するように組立、配置されている複数個のスロットがあるフランジを有している。
【００１４】
さらに別の実施形態では、フロアマットは、少なくとも１つの直立支柱をもつフロアを有する車両に提供される。フロアマットは、コアー、上面、およびその反対側にある下面を有し、グロメットは、フロアマットと一体に形成され、上面と下面との間にある。グロメットは、第１の上縁と第２の下縁があるグロメット本体と、グロメット本体によって画定された支柱係合貫通開口と、上縁と下縁との間で本体から径方向外向きに延びるフランジを有している。フロアマットは、フランジと係合する垂直オフセット部があり、支柱の上縁は、垂直オフセット部の上縁とほぼ同じ高さである。
【発明の効果】
【００１５】
本発明の解決手段によれば、組立が簡単なグロメットと、種々の支柱に適応可能なフロアマットの必要性を満たし、グロメットを一体化したフロアマットが提供できる。
【図面の簡単な説明】
【００１６】
【図１】本発明のグロメットを備え、車両フロアの支柱に係合されたフロアマットの模式的または概略的な上からの斜視図である。
【図２】図１のフロアマットの平面図である。
【図３】図２の線３−３に沿った垂直断面図である。
【図４】図２の線４−４に沿った垂直断面図である。
【図５】本フロアマットで用いられたグロメットアセンブリの別の実施形態の斜視図である。
【図６】図５の線６−６に沿った断面図である。
【図７】図５のグロメットの上からの斜視図である。
【図８】図７のグロメットの平面図である。
【図９】図８の線９−９に沿った断面図である。
【図１０】図８の線１０−１０沿った断面図である。
【発明を実施するための形態】
【００１７】
以下、添付の図面を参照して、本発明によるフロアマットを説明する。
【実施例】
【００１８】
図１〜４を参照して、本フロアマットは、符号１０で示し、少なくとも１つの支柱１４のある車両フロア１２上に取外し可能に組立、配置される。この支柱１４は、フランジ１６と、上面２０と径が小さくなったネック２２のある垂直突出した支柱ヘッド１８とを有している。
【００１９】
この支柱１４は、フランジ１６に化学接着剤あるいはその類似物を塗布して車両フロア１２に固定される。他には、支柱１４は、車両フロア１２にある穴にねじで係合するねじ山付きスパイク部（図示してない）によって固定される。多くの場合、支柱１４は、耐久性のあるプラスチックで作られる。限定するものではないが、金属および工学材料を含むその他支持力のある耐久性材料も考えられる。
【００２０】
図１に示すフロアマット１０は、長方形状で示しているが、これは説明のためであり、当業者に周知のように、車両用のフロアマットは、特定の車両のフロアパンに適合する寸法とし、種々の形状をしている。フロアマット１０には、コアー２４と、運転者及び／又は乗客の足と接する上面２６、及び車両フロア１２に接触する反対側の下面２８がある。
【００２１】
上述したように、フロアマット１０は、好ましくは当該技術分野において周知の熱可塑性または熱硬化性材料などの射出成形プラスチックで、さらに好ましくは当該技術分野において周知の種々のプラスチック材料を用いた熱可塑性エラストマー（ＴＰＥ）で作られる。熱可塑性材料およびＴＰＥは、他の特性の中でも、成形性、柔軟性、色彩耐久性、外観および耐久性で選択される。
【００２２】
本発明のフロアマット１０の主な形態は、符合３０で示すグロメットが一体に形成されて、フロアマット内に一体化され、上面２６と下面２８との間にある。グロメットには、グロメット本体３２があり、これは、好ましい実施形態では概ね円筒形であるが、多角形を含む他の形状も考えられる。グロメット本体３２は、第１の、上縁３４と、第２の、反対側にある下縁３６と、外面３８と、支柱係合貫通開口４２を画定する内面４０がある。フランジ４４は、グロメット本体３２から、より具体的には外面３８から径方向外向きに延びている。フランジ４４は、上縁３４と下縁３６との間、より好ましくは、縁部３４，３６の間のほぼ中間に配置されるのが好ましい。
【００２３】
フランジ４４の重要な目的は、フロアマットをグロメット３０の周りに成形するとき、フロアマットのコアー２４に係合するアンカー位置とすることである。このように、グロメット３０は、上述したＴＰＥのようなフロアマット１０の材料よりも高融点を有するプラスチック材料で作られるのが好ましい。したがって、グロメット３０は、成形プロセス中に溶融プラスチックの注入に耐え、構造的な一体化を保つものである。
【００２４】
図２と図４を参照して、フランジ４４の形態は、少なくとも１つ、好ましくは複数のスロット４６が設けられている。このスロット４６は、フランジ４４の上から下に開口していて、フロアマット１０を形成する溶融プラスチックが流れ抜けることができる。プラスチックが固まり硬化すると、フランジ４４とグロメット３０は、コアー２４に確実に埋め込まれ一体化される。このようにして、スロット４６は、グロメット３０のコアー２４への固定を強化している。
【００２５】
図２に示すように、スロット４６は、好ましくは端部４８が円曲して細長い形状で概ね細長い楕円形状にし、そして好ましくはフランジ４４の同心円上に端部と端部が並んでいる。フランジ４４の一部は、隣り合うスロット４６を分離している。フランジ４４の別の形態は、フランジ４４が、グロメット本体３２の半径“ｒ”に略等しい幅“Ｒ”を有している。
【００２６】
図１、図３及び図４を参照して、本発明のフロアマット１０の別の形態は、フランジ４４を係合して保持する垂直オフセット部５０がある。この垂直オフセット部５０は、上面２６から垂直方向に突出し、支柱１４の支柱ヘッド１８を囲んでいる。図１と２のように上から見ると、この部分５０は概ね円形であるが、他の形状も考えられる。好ましい実施形態では、垂直オフセット部５０は、上縁、すなわち上面５２を有し、これは支柱ヘッド１８の上面２０とほぼ同じ高さとなっている。
【００２７】
図２乃至図４を参照して、本発明のグロメット３０は、内面４０が支柱係合貫通開口に突き出て、支柱１４を取り外し可能にロック係合できる構造を備えているのが好ましい。この構造は、製造者に依りそれぞれ変えて、それぞれの支柱仕様に合わすことができるようにすると考えられる。一実施形態では、グロメット３０は、少なくとも１つの弾力のあるリブ状部材５６が、それぞれの端部でほぼ垂直に突出したブロック５８に結合している。図３および４に示すように、リブ状部材５６は、支柱ヘッド１８の下側面６０と係合して、フロアマット１０が支柱１４に対して不用意な上方への移動を抑えている。
【００２８】
図５乃至図１０を参照すると、本発明のフロアマット１０に使用するグロメットの別の実施形態を、符合７０で示している。グロメット３０と共通する構成要素は、同じ参照番号で示している。また、グロメット７０は、上述したグロメット３０と同様に、フロアマット１０と一体に形成されて組立、配置される。
【００２９】
グロメット３０とグロメット７０の間の主な違いは、後者が、ほぼ水平方向に向いたリブ７２で、細長い楕円形状開口７４を作る形態となっていることである。この構造は、グロメット３０のリブ状部材５６とブロック５８を置き換えている。さらに、この形状は、細長い楕円形ヘッド７８と比較的小径のネックを有する支柱７６に、取り外し可能にロック係合するよう組立、配置されている。
【００３０】
図５と図６を参照して、支柱７６は、留め部材８２に対して軸方向に回転する。この留め部材８２は、径方向に突出したディスク８４を有し、車両（図示してない）のカーペットに係合するために垂直に突出する突起８６がある。クランプ８８は、逆茶碗形状で、留め部材８２に対してスナップ固定されて、支柱７６を留め部材に対して所定の位置に保持するが、支柱は回転できるようにしている。
【００３１】
この実施形態では、支柱７６、留め部材８２およびクランプ８８を車両のカーペット上に組み立てたら、使用者は楕円形ヘッド７８を回転してグロメット７０の楕円形状開口７４に合わせれば、グロメットを容易に支柱に取り付けできる。次いで、使用者は、楕円形ヘッド７８を約１／４回転、すなわちは９０°回転させて、グロメット７０とフロアマット１０が、ヘッドが楕円形開口部７４の狭い部分と係合することにより車両の所定位置にしっかりと保持される。
【００３２】
本発明のグロメット３０、７０は、他の製造者の特異な支柱形状に適合するように内面４０で変形してもよい。
【００３３】
一体化グロメットを有する本フロアマットの特定の実施形態を記載したが、当業者であれば、広い範囲で本発明から逸脱することなく、そして以下の特許請求範囲に従って、変更、修正することができる。
【産業上の利用可能性】
【００３４】
本発明は、グロメットを一体化したフロアマットとして好適である。
【符号の説明】
【００３５】
１０    フロアマット
１２    車両フロア
１４    支柱
１６    フランジ
１８    支柱ヘッド
２０    上面
２２    ネック
２４    コアー
２６    上面
２８    下面
３０    グロメット
３２    グロメット本体
３４    上縁
３６    下縁
３８    外面
４０    内面
４２    支柱係合貫通開口
４４    フランジ
４６    スロット
４８    端部
５０    垂直オフセット部
５２    上面
５６    リブ状部材
５８    ブロック
６０    下側面
７０    グロメット
７４    楕円形状開口
７６    支柱
７８    楕円形ヘッド
８２    留め部材
８４    ディスク
８６    突起
８８    クランプ
【図１】
2019059465.tif 000003
【図２】
2019059465.tif 000004
【図３】
2019059465.tif 000005
【図４】
2019059465.tif 000006
【図５】
2019059465.tif 000007
【図６】
2019059465.tif 000008
【図７】
2019059465.tif 000009
【図８】
2019059465.tif 000010
【図９】
2019059465.tif 000011
【図１０】
2019059465.tif 000012